(57)【特許請求の範囲】
【請求項１】
熱可塑性樹脂を含有し、反射性を有する基材シートを有する農業用シートであって、
前記農業用シートの一方の表面から他方の表面を貫通する貫通孔を複数有し、
前記基材シートが多孔質基材シートであり、
前記基材シートにおける前記熱可塑性樹脂がポリプロピレン系樹脂であり、
前記基材シートの空隙率が３５％〜６０％の範囲内であり、前記基材シートの厚みが３０μｍ〜９０μｍの範囲内であり、
前記農業用シートにおける貫通孔の割合が、１万個／ｍ２〜１００万個／ｍ２の範囲内であることを特徴とする農業用シート。
【請求項２】
前記基材シートと、前記基材シートを補強する補強シートとが、熱接着性樹脂層を介して接合していることを特徴とする請求項１に記載の農業用シート。
【請求項３】
前記補強シートが不織布であり、
前記熱接着性樹脂層がエチレン−酢酸ビニル共重合体から構成されることを特徴とする請求項２に記載の農業用シート。
【請求項４】
熱可塑性樹脂を含有し、反射性を有する基材シートを有する農業用シートの製造方法であって、
前記農業用シートの前駆シートを準備する準備工程と、
前記前駆シートの一方の表面から他方の表面を貫通する貫通孔を複数形成する貫通孔形成工程と、
を有し、
前記基材シートが多孔質基材シートであり、
前記基材シートにおける前記熱可塑性樹脂がポリプロピレン系樹脂であり、
前記基材シートの空隙率が３５％〜６０％の範囲内であり、前記基材シートの厚みが３０μｍ〜９０μｍの範囲内であり、
前記農業用シートにおける貫通孔の割合が、１万個／ｍ２〜１００万個／ｍ２の範囲内であることを特徴とする農業用シートの製造方法。
【請求項５】
前記貫通孔形成工程において、熱針ロールにより前記貫通孔を形成することを特徴とする請求項４に記載の農業用シートの製造方法。
【発明の詳細な説明】
【技術分野】
【０００１】
本発明は、良好な通水性を有する農業用シートに関する。
【背景技術】
【０００２】
最近、果実、野菜および花等の農作物の自由化要求が国外から高まり、農作物の高品質化および差別化等が図られている。そのなかでマルチ栽培の技術が注目されている。マルチ栽培とは、栽培時の天候に影響されることなく良質の農作物を得るために栽培土壌の状態をコントロールする栽培方法をいう。マルチ栽培においては、樹木の根が伸びている地面を農業用シート材で被覆することによって栽培土壌の状態のコントロールを行う。
【０００３】
マルチ栽培用のフィルム材である農業用シート（マルチフィルムまたはマルチシートとも称する）として、熱可塑性樹脂を含有する基材シートが知られている。特許文献１には、微孔性フィルムを用いた隔年結果防止方法が開示されている。さらに、オレフィン系樹脂等の熱可塑性樹脂に炭酸カルシウム等の充填材を配合した原料を用いて微孔性フィルムを作製することが開示されている。
【０００４】
特許文献２には、農作物周辺の地面を覆うための農業用フィルムであって、白色の微多孔性フィルムの片面に割布を積層した農業用フィルムが開示されている。さらに、白色の微多孔性フィルムは高い反射率を有するため、農作物の生育がよくなることが開示されている。
【先行技術文献】
【特許文献】
【０００５】
【特許文献１】特開平４−１６６０２２号公報
【特許文献２】特開２００５−１４３４２７号公報
【発明の概要】
【発明が解決しようとする課題】
【０００６】
特許文献２に記載されているように、農作物の生育をよくするためには、太陽光線を地上で反射させて、その反射光を果樹に照射することが有効である。反射光量を向上させる手段として、例えば、農業用シートの設置面積を増やす方法がある。しかしながら、例えば通路等にも農業用シートを設置した場合、一般的な農業用フィルムは遮水性を有するため、雨水等の水が農業用フィルム上に滞留してしまう。
【０００７】
本発明は、上記実情に鑑みてなされたものであり、良好な通水性を有する農業用シートを提供することを主目的とする。
【課題を解決するための手段】
【０００８】
上記課題を解決するために、本発明においては、熱可塑性樹脂を含有し、反射性を有する基材シートを有する農業用シートであって、上記農業用シートの一方の表面から他方の表面を貫通する貫通孔を複数有することを特徴とする農業用シートを提供する。
【０００９】
本発明によれば、貫通孔が形成されていることから、良好な通水性を有する農業用シートとすることができる。
【００１０】
上記発明においては、上記基材シートが多孔質基材シートであり、上記基材シートにおける上記熱可塑性樹脂がポリプロピレン系樹脂であり、上記基材シートの空隙率が３５％〜６０％の範囲内であり、上記基材シートの厚みが３０μｍ〜９０μｍの範囲内であることが好ましい。
【００１１】
上記発明においては、上記基材シートと、上記基材シートを補強する補強シートとが、熱接着性樹脂層を介して接合していることが好ましい。
【００１２】
上記発明においては、上記補強シートが不織布であり、上記熱接着性樹脂層がエチレン−酢酸ビニル共重合体から構成されることが好ましい。
【００１３】
また、本発明においては、熱可塑性樹脂を含有し、反射性を有する基材シートを有する農業用シートの製造方法であって、上記農業用シートの前駆シートを準備する準備工程と、上記前駆シートの一方の表面から他方の表面を貫通する貫通孔を複数形成する貫通孔形成工程と、を有することを特徴とする農業用シートの製造方法を提供する。
【００１４】
本発明によれば、貫通孔を形成することから、良好な通水性を有する農業用シートを得ることができる。
【００１５】
上記発明においては、上記貫通孔形成工程において、熱針ロールにより上記貫通孔を形成することが好ましい。
【発明の効果】
【００１６】
本発明においては、良好な通水性を有する農業用シートを提供することができるという効果を奏する。
【図面の簡単な説明】
【００１７】
【図１】本発明の農業用シートの一例を示す模式図である。
【図２】本発明の農業用シートの製造方法の一例を示す概略断面図である。
【図３】本発明における貫通孔形成工程の一例を示す工程図である。
【発明を実施するための形態】
【００１８】
以下、本発明の農業用シート、および、農業用シートの製造方法について、詳細に説明する。
【００１９】
Ａ．農業用シート
図１（ａ）は本発明の農業用シートの一例を示す概略平面図であり、図１（ｂ）は図１（ａ）のＡ−Ａ断面図である。図１（ｂ）に示すように、農業用シート１は、熱可塑性樹脂を含有し、反射性を有する基材シート１１と、基材シート１１を補強する補強シート１３と、基材シート１１および補強シート１３の間に配置され、基材シート１１および補強シート１３を接合する熱接着性樹脂層１２と、を有する。さらに、図１（ａ）、（ｂ）に示すように、農業用シート１の一方の表面から他方の表面を貫通する貫通孔１４が複数形成されている。
【００２０】
本発明によれば、貫通孔が形成されていることから、良好な通水性を有する農業用シートとすることができる。そのため、例えば通路等にも農業用シートを設置した場合にも、雨水等の水が農業用フィルム上に滞留することを防止できる。その結果、水の滞留による作業性の低下を抑制しつつ、農業用シートの設置面積を増やすことができ、反射光量を向上させることができる。また、農業用フィルムが通水性を有するため、例えば栽培土壌が過度に乾燥した場合に、栽培土壌に容易に水を供給することができる。
以下、本発明の農業用シートについて、構成ごとに説明する。
【００２１】
１．基材シート
本発明における基材シートは、少なくとも熱可塑性樹脂を含有し、必要に応じて、充填材等の添加材を含有していてもよい。また、基材シートは、貫通孔において通水性を有し、貫通孔以外の部分において透湿性、通気性および遮水性を有することが好ましい。なお、本発明において、透湿性とは、気体としての水すなわち水蒸気を通過させる性質をいい、通気性とは、二酸化炭素をはじめとする気体を通過させる性質をいい、遮水性とは、液体としての水を通過させない性質をいう。
【００２２】
また、本発明における基材シートは、反射性を有する。「反射性を有する」とは、可視領域での最低反射率が７０％以上であることをいう。可視領域での最低反射率は、７５％以上であることが好ましく、８０％以上であることがより好ましい。可視領域での最低反射率は、例えば、紫外・可視・近赤外分光光度計（島津製作所ＵＶ−３６００）および積分球付属装置（ＩＳＲ−３１００）を用いて、入射角８°で可視領域４５０〜７５０ｎｍでの反射率（全反射率）を測定することで求めることができる。標準板としては、例えば、米国ラブスフェア社製スペクトラロン（テフロン（登録商標）製）を用いることができる。
【００２３】
（１）熱可塑性樹脂
本発明における熱可塑性樹脂の種類は、特に限定されないが、例えば、ポリオレフィン系樹脂、アクリル系樹脂、スチレン系樹脂、フッ化ビニル系樹脂、アミド系樹脂、飽和エステル系樹脂等が挙げられ、中でも、ポリオレフィン系樹脂が好ましい。耐熱性、耐水性、耐薬品性、コスト面が優れるからである。
【００２４】
ポリオレフィン系樹脂としては、例えば、オレフィンの単独重合体、２種類以上のオレフィンの共重合体、１種類以上のオレフィンと、オレフィンと重合可能な１種類以上の重合性モノマーとの共重合体等が挙げられる。上記オレフィン（モノマー単位）としては、例えば、エチレン、プロピレン、ブテン、ヘキセン等が挙げられる。また、共重合体は、２元系でも３元系でも４元系でもよい。また、共重合体は、ランダム共重合体でもブロック共重合体であってもよい。
【００２５】
ポリオレフィン系樹脂の具体例としては、例えば、ポリエチレン系樹脂、ポリプロピレン系樹脂等が挙げられ、中でも、ポリプロピレン系樹脂等が好ましい。ポリプロピレン系樹脂の一例としては、プロピレン単独重合体が挙げられる。プロピレン単独重合体は、アイソタクティックまたはシンジオタクティックな立体規則性を有することが好ましい。ポリプロピレン系樹脂の他の例としては、プロピレンと、他のαオレフィンとの共重合体が挙げられる。他のαオレフィンとしては、例えば、エチレン、ブテン−１、ヘキセン−１、ヘプテン−１，４−メチルペンテン−１の少なくとも一種等が挙げられる。ポリプロピレン系樹脂は、プロピレンをモノマー単位の主成分とすることが好ましい。
【００２６】
一方、ポリエチレン系樹脂としては、例えば、低密度ポリエチレン、直鎖状ポリエチレン、高密度ポリエチレン等が挙げられる。ポリエチレン系樹脂は、エチレンをモノマー単位の主成分とすることが好ましい。また、ポリオレフィン系樹脂として、ポリ（４−メチルペンテン−１）、ポリ（ブテン−１）、エチレン−酢酸ビニル共重合体等を用いてもよい。
【００２７】
また、上述したように、熱可塑性樹脂として、アクリル系樹脂、スチレン系樹脂、フッ化ビニル系樹脂、アミド系樹脂、エステル系樹脂等を用いることができる。アクリル系樹脂としては、例えば、ポリメチルアクリレート、ポリメチルメタクリレート、エチレン−エチルアクリレート共重合体等が挙げられる。スチレン系樹脂としては、例えば、ブタジエン−スチレン共重合体、アクリロニトリル−スチレン共重合体、ポリスチレン、スチレン−ブタジエン−スチレン共重合体、スチレン−イソプレン−スチレン共重合体、スチレン−アクリル酸共重合体等が挙げられる。フッ化ビニル系樹脂としては、例えば、塩化ビニル系樹脂、ポリフッ化ビニル、ポリフッ化ビニリデン等が挙げられる。アミド系樹脂としては、例えば、６−ナイロン、６，６−ナイロン、１２−ナイロン等が挙げられる。エステル系樹脂としては、例えば、ポリエチレンテレフタレート、ポリプリブチレンテレフタレート等が挙げられる。また、熱可塑性樹脂として、ポリカーボネート、ポリフェニレンオキサイド、ポリアセタール、ポリフェニレンスルフィド、シリコーン樹脂、熱可塑性ウレタン樹脂、ポリエーテルエーテルケトン、ポリエーテルイミド、熱可塑性エラストマー等を用いてもよい。
【００２８】
本発明においては、１種類の熱可塑性樹脂を用いてもよく、２種類以上の熱可塑性樹脂を用いてもよい。２種類以上の熱可塑性樹脂を用いる場合、ポリオレフィン系樹脂を主成分とすることが好ましく、ポリプロピレン系樹脂を主成分とすることがより好ましい。また、基材シートにおける熱可塑性樹脂の含有量は、例えば、４５質量％以上であり、５５質量％以上であってもよい。一方、基材シートにおける熱可塑性樹脂の含有量は、例えば、９９質量％以下であり、９８質量％以下であってもよい。
【００２９】
（２）充填材
本発明における基材シートは、充填材を含有していてもよい。充填材を添加し、例えば延伸により基材シートを作製することで、基材シートの内部に空隙が生じ、多孔質基材シートが得られる。充填材としては、例えば、無機系充填材および有機系充填材が挙げられる。
【００３０】
無機系充填材としては、例えば、重質炭酸カルシウム、軽質炭酸カルシウム等の炭酸カルシウム、焼成クレイ、タルク、酸化珪素、珪藻土、酸化チタン、酸化マグネシウム、酸化亜鉛、硫酸バリウム等が挙げられる。また、無機系充填材は脂肪酸で表面処理されていてもよい。中でも、無機系充填材は、重質炭酸カルシウム、軽質炭酸カルシウム、焼成クレイまたはタルクであることが好ましい。安価で成形性がよいからである。
【００３１】
無機系充填材の平均粒子径は、例えば、０．０１μｍ〜１５μｍの範囲内であり、０．０１μｍ〜８μｍの範囲内であってもよい。なお、平均粒子径とは、体積基準で測定した粒径分布の統計的平均値として定義され、例えば、株式会社堀場製作所製ＬＡ−９２０によって測定された値をいう。
【００３２】
有機系充填材としては、例えば、ポリエチレンテレフタレート、ポリブチレンテレフタレート、ポリカーボネート、ポリアミド、ポリエチレンナフタレート、ポリスチレン、メラミン、ポリエチレンサルファイト、ポリイミド、ポリエチルエーテルケトン、ポリエーテルエーテルケトン、ポリフェニレンサルファイト、ポリ−４−メチル−１−ペンテン、ポリメチルメタクリレート等が挙げられる。また、有機系充填材として、環状オレフィンの単独重合体、環状オレフィンとエチレンとの共重合体であり、融点が１２０℃〜３００℃の範囲内であるかガラス転移温度が１２０℃〜２８０℃の範囲内である材料を用いることもできる。有機系充填材と、上述した熱可塑性樹脂とは、異なる材料であることが好ましい。
【００３３】
基材シートにおける充填材の含有量は、例えば、１質量％〜６５質量％の範囲内であり、２質量％〜５５質量％の範囲内であることが好ましい。
【００３４】
（３）他の添加材
本発明における基材シートは、必要に応じて、界面活性材、滑材、帯電防止材等の各種添加材を含有していてもよい。界面活性材の添加により、例えば結露を防ぐことができる。界面活性材としては、例えば、非イオン性界面活性材、陰イオン性界面活性材、両イオン性界面活性材等が挙げられる。非イオン性界面活性材としては、例えば、グリセリン脂肪酸エステル、ペンタエリスリトール脂肪酸エステル、ポリオキシプロピレン・ポリオキシエチレンブロックポリマー等が挙げられる。陰イオン性界面活性材としては、例えば、スルホン酸塩、アルキルベンゼンスルホン酸塩等の塩が挙げられる。なお、上記塩としては、例えば、ナトリウム塩、カリウム塩、アンモニウム塩等が挙げられる。
【００３５】
また、滑材としては、例えば、流動パラフィン、合成パラフィン、マイクロクリスタリンワックス等の脂肪族炭化水素、直鎖アルコールのステアリン酸エステル、高級脂肪酸アマイド等が挙げられる。また、帯電防止材としては、例えば、アルキルジエタノールアミン、ヒドロキシアルキルモノエタノールアミン、グリセリン脂肪酸エステル、ポリグリセリン脂肪酸エステル、アルキルスルホン酸ソーダ、アルキルベンゼンスルホン酸ソーダ、過塩素酸テトラアルキルアンモニウム塩等が挙げられる。なお、添加材の含有量は、特に限定されず、添加材の種類に応じて適宜選択する。
【００３６】
（４）基材シート
本発明における基材シートは、内部に空隙を有する多孔質基材シートであることが好ましい。多孔質基材シートは、通常、貫通孔において通水性を有し、貫通孔以外の部分において透湿性、通気性および遮水性を有する。多孔質基材シートの空隙率は、特に限定されないが、例えば３５％〜６０％の範囲内であり、４０％〜５８％の範囲内であることが好ましい。
【００３７】
空隙率とは、多孔質基材シートに占める空隙の割合をいい、下記式１により算出できる。なお、空隙率の算出には、貫通孔の空隙を含めない。
空隙率（％）＝｛（ρｏ−ρ）／ρｏ｝×１００  …（式１）
式１において、ρｏは多孔質基材シートの真密度である。ρは多孔質基材シートの密度であり、ＪＩＳ  Ｐ  ８１１８に準拠する。なお、延伸前の材料が多量の空気を含有するものでない限り、真密度は延伸前の密度にほぼ等しい。真密度は、定容積膨張法による乾式密度測定方法で求めることができる。測定装置としては、例えば、（株）島津製作所製の乾式自動密度計アキュピック１３３０が挙げられる。
【００３８】
空隙の平均径は、例えば、１μｍ〜５０μｍの範囲内であり、２μｍ〜４０μｍの範囲であることが好ましく、５μｍ〜３０μｍの範囲内であることがより好ましい。本発明において、空隙の最大径（Ｌ）とそれに直角な方向の最大の径（Ｍ）を測定して平均したもの［（Ｌ＋Ｍ）／２］を、空隙の径とする。少なくともｎ個（ｎは１以上の整数であり、１００以上の整数であることが好ましい）の空隙の径を測定し、その平均値を、空隙の平均径とする。試料の断面観察には、例えば、（株）日立製作所製の走査型電子顕微鏡Ｓ−２４００を用いることができる。
【００３９】
多孔質基材シートの厚みは、特に限定されないが、例えば３０μｍ〜９０μｍの範囲内であり、４０μｍ〜８０μｍの範囲内であることが好ましい。また、多孔質基材シートは、単層構造であってもよく、複層構造であってもよい。多孔質基材シートが複層構造である場合、各層に含まれる樹脂成分は、同一であってもよい。
【００４０】
多孔質基材シートの透湿度は、例えば、６００ｇ／ｍ２・ｄａｙ以上であり、７００ｇ／ｍ２・ｄａｙ以上であることが好ましく、８００ｇ／ｍ２・ｄａｙ以上であることがより好ましい。多孔質基材シートの耐水圧は、例えば、１０ｋＰａ以上であり、２０ｋＰａ以上であることが好ましい。また、多孔質基材シートの不透明度は、例えば、７０％〜１００％の範囲内であることが好ましい。なお、多孔質基材シートの不透明度は、ＪＩＳ  Ｚ  ８７２２に準拠するものとする。また、多孔質基材シートの密度は、例えば、０．５０ｇ／ｃｍ３〜０．９０ｇ／ｃｍ３の範囲内であり、０．５０ｇ／ｃｍ３〜０．７０ｇ／ｃｍ３の範囲内であることが好ましい。
【００４１】
多孔質基材シートの製造方法は、所望の多孔質基材シートが得られる方法であれば特に限定されず、公知の製造方法を採用することができる。また、本発明における多孔質基材シートは、延伸処理されたものであることが好ましい。
【００４２】
２．補強シート
本発明の農業用シートは、基材シートを補強する補強シートを有していてもよい。補強シートを設けることで、耐久性の高い農業用シートとすることができる。特に、本発明の農業用シートは貫通孔を有するため、貫通孔を有しない場合に比べて物理的強度が低い傾向にあるが、補強シートを設けることで、物理的強度が向上する。
【００４３】
補強シートの材料は、特に限定されないが、例えば、熱可塑性樹脂が挙げられる。熱可塑性樹脂については、上記「（１）熱可塑性樹脂」に記載した内容と同様である。
【００４４】
補強シートとしては、例えば、不織布および織布等が挙げられる。これらの材料は、貫通孔以外の部分において、通常、透湿性および通気性を有する。一方、これらの材料は、貫通孔以外の部分において、遮水性を有していてもよく、有していなくてもよい。補強シートの空隙の径が大きければ、通常、遮水性は得られないが、例えば遮水処理を行うことで、遮水性を付与することもできる。また、これらの材料を用いた場合、基材シートおよび地面の間に、不織布等の凹凸に由来する隙間が生じるため、水が浸透しやすい。
【００４５】
不織布または織布の材料は、熱可塑性樹脂の中でも、ポリオレフィン系樹脂、エステル系樹脂またはアミド系樹脂であることが好ましい。また、不織布としては、例えば、繊維直交不織布、長繊維不織布、短繊維不織布、湿式不織布、乾式不織布、エアレイド不織布、カード式不織布、パラレル式不織布、クロス式不織布、ランダム不織布、スパンボンド不織布、メルトブローン不織布、フラッシュ紡糸不織布、ケミカルボンド不織布、水流交絡不織布、ニードルパンチ不織布、ステッチボンド不織布、サーマルボンド不織布、バーストファイバー不織布、トウ開繊不織布、スプリットファイバー不織布、複合不織布、積層不織布、コーテッド不織布、ラミネート不織布等が挙げられる。
【００４６】
繊維直交不織布は、２枚以上の延伸フィルムを、延伸方向が直交するように積層した不織布であり、例えば、ＪＸ日鉱日石エネルギー社製ワリフ（登録商標）等が挙げられる。また、長繊維不織布の繊維径は、例えば３μｍ〜２０μｍの範囲内であることが好ましい。一方、短繊維不織布の繊維径は、例えば３μｍ未満であることが好ましい。
【００４７】
一方、補強シートの他の例としては、多孔質補強シートが挙げられる。多孔質補強シートは、貫通孔以外の部分において、通常、透湿性、通気性および遮水性を有する。多孔質補強シートは熱可塑性樹脂を含有することが好ましい。例えば切断が容易であり、加工性が高いからである。
【００４８】
また、多孔質補強シートにおける熱可塑性樹脂および添加材の種類、ならびに、多孔質補強シートの好ましい物性等については、例えば、上述した多孔質基材シートと同様である。また、多孔質補強シートに含まれる熱可塑性樹脂と、多孔質基材シートに含まれる熱可塑性樹脂とは、同じであってもよく、異なっていてもよい。
【００４９】
補強シートの厚みは、特に限定されないが、例えば５μｍ〜１５０μｍであり、５０μｍ〜１００μｍであることが好ましい。
【００５０】
基材シートおよび補強シートは、熱接着性樹脂層を介して接合されていてもよく、熱接着性樹脂層等を介さずに直接接合されていてもよい。前者の場合は、補強シートが不織布または織布である場合に有効である。不織布または織布は比較的大きな空隙を有しているため、その隙間を熱接着性樹脂層が埋めるように配置されるため、基材シートおよび補強シートが強固に接合される。後者の場合は、例えば、基材シートおよび補強シートを熱融着させることで、両者を直接接合できる。
【００５１】
熱接着性樹脂層は、熱接着性樹脂から構成される。熱接着性樹脂としては、例えば熱可塑性樹脂が挙げられる。熱可塑性樹脂については、上記「（１）熱可塑性樹脂」に記載した内容と同様である。中でも、熱接着性樹脂は、ポリオレフィン系樹脂であることが好ましく、エチレン−酢酸ビニル共重合体であることがより好ましい。エチレン−酢酸ビニル共重合体は、例えば押出ラミネーション適性に優れている。エチレン−酢酸ビニル共重合体の酢酸ビニル含有率は、例えば、１０質量％〜３０質量％の範囲内であることが好ましい。エチレン−酢酸ビニル共重合体のメルトインデックス（ＭＩ）は、例えば、１５〜４５の範囲内であることが好ましい。
【００５２】
熱接着性樹脂としてエチレン−酢酸ビニル共重合体を用いる場合、熱接着性樹脂層および基材シートの間、または、熱接着性樹脂層および補強シートの間にアンカーコート層を設けることが好ましい。より強固に接合できるからである。アンカーコート層の材料としては、例えば、変成エチレン−酢酸ビニル共重合体樹脂が挙げられ、具体的には、アドコートＡＤ−３７Ｐ２９５（東洋モートン）等が挙げられる。
【００５３】
また、熱接着性樹脂層に含まれる熱可塑性樹脂と、基材シートに含まれる熱可塑性樹脂と、補強シートに含まれる熱可塑性樹脂とは、それぞれ、同じであってもよく、異なっていてもよい。また、熱接着性樹脂層、基材シートおよび補強シートに含まれる熱可塑性樹脂が、ポリオレフィン系樹脂であることが好ましい。
【００５４】
熱接着性樹脂層の厚みは、特に限定されないが、例えば３μｍ〜３０μｍの範囲内であり、５μｍ〜２０μｍの範囲内であることが好ましい。
【００５５】
３．農業用シート
本発明の農業用シートは、一方の表面から他方の表面を貫通する貫通孔を複数有する。貫通孔の平面視形状は、特に限定されないが、例えば、円状、楕円状、多角形状等が挙げられる。貫通孔の径は、例えば、５μｍ〜１ｍｍの範囲内であり、１０μｍ〜８００μｍの範囲内であることが好ましく、２０μｍ〜１００μｍの範囲内であることがより好ましい。なお、本発明においては、貫通孔の最大径を貫通孔の径とする。
【００５６】
また、農業用シートにおける貫通孔の割合は、例えば、１万個／ｍ２〜１００万個／ｍ２の範囲内であり、１０万個／ｍ２〜７０万個／ｍ２の範囲内であることが好ましい。また、複数の貫通孔は、パターン状に配置されていてもよく、ランダムに配置されていてもよいが、前者が好ましい。農業用シートの製造が容易だからである。
【００５７】
また、農業用シートの開孔率は、例えば、４％〜９％の範囲内であることが好ましい。開孔率が小さすぎると、通水性が低下する可能性がり、開孔率が高すぎると、物理的強度が低下する可能性があるからである。開孔率は、下記式より算出できる。
開孔率（％）＝（１個当たりの開孔面積×貫通孔の個数）／１平方メートル×１００
【００５８】
本発明の農業用シートは、光反射層を有していてもよい。光反射層を設けることで、より反射率を高くでき、果実の着色を促進したり、地温の上昇を抑制したりすることができる。光反射層は、例えば、白色粉末および樹脂成分を含有する。白色粉末としては、例えば、アナターゼ型またはルチル型の酸化チタン、これらの表面をＡｌ、Ｓｉ等の金属酸化物で処理した酸化チタン、炭酸カルシウム、硫酸バリウム等が挙げられる。樹脂成分としては、例えば、ポリウレタン系樹脂、ポリエステル系樹脂等が挙げられる。また、ポリウレタン系樹脂としては、例えば、ポリエステルポリウレタン、ポリエーテルポリウレタン、ポリエーテルポリエステルポリウレタン、ポリカーボネートポリウレタン、ポリカプロラクタムポリウレタン等が挙げられる。光反射層の配置場所は、特に限定されず、農業用シートの最表面であってもよく、内部であってもよい。また、光反射層は、多孔質基板シートを基準として、補強シートとは反対側に設けられていることが好ましい。光反射層の厚みは、例えば、０．５μｍ〜４μｍの範囲内である。
【００５９】
Ｂ．農業用フィルムの製造方法
次に、本発明の農業用フィルムの製造方法について説明する。図２は、本発明の農業用フィルムの製造方法の一例を示す概略断面図である。図２においては、熱可塑性樹脂を含有し、反射性を有する基材シート１１の表面に、熱接着性樹脂層１２を形成する（図２（ａ））。次に、熱接着性樹脂層１２上に補強シート１３を配置し、加熱しながら圧力を付与することで、農業用シートの前駆シート１５を得る（図２（ｂ））。次に、針状部材１６を用いて、前駆シート１５の一方の表面から他方の表面を貫通する貫通孔１４を複数形成する（図２（ｃ））。これにより、基材シート１１、熱接着性樹脂層１２および補強シート１３がこの順に配置され、貫通孔１４を有する農業用フィルム１が得られる（図２（ｄ））。
【００６０】
本発明によれば、貫通孔を形成することから、良好な通水性を有する農業用シートを得ることができる。
以下、本発明の農業用フィルムの製造方法について、工程ごとに説明する。
【００６１】
１．準備工程
本発明における準備工程は、熱可塑性樹脂を含有し、反射性を有する基材シートを有する農業用シートの前駆シートを準備する工程である。
【００６２】
前駆シートの構成は、貫通孔がないこと以外、基本的に農業用シートの構成と同じである。農業用シートの構成については、「Ａ．農業用シート」に記載した内容と同様であるので、ここでの記載は省略する。
【００６３】
また、前駆シートが補強シートおよび熱接着性樹脂層を有する場合、その前駆シートの製造方法としては、例えば、前駆シートおよび補強シートの少なくとも一方の表面に熱接着性樹脂層を形成し、前駆シートおよび補強シートを、熱接着性樹脂層を介して積層する方法が挙げられる。前駆シートまたは補強シートの表面に熱接着性樹脂層を形成する方法は、特に限定されないが、例えば、前駆シートまたは補強シートの表面に熱接着性樹脂層を配置する方法、および、配置後に熱を加えて加圧する方法が挙げられる。前駆シートおよび補強シートを、熱接着性樹脂層を介して積層する方法も、特に限定されないが、例えば、熱を加えて加圧する方法が挙げられる。
【００６４】
２．貫通孔形成工程
本発明における貫通孔形成工程は、上記前駆シートの一方の表面から他方の表面を貫通する貫通孔を複数形成する工程である。
【００６５】
貫通孔を形成する方法は、特に限定されないが、例えば、機械的処理が挙げられる。機械的方法としては、例えば、針状部材を用いたプレス処理が挙げられる。さらに、針状部材を加熱してもよい（熱針処理）。貫通孔を形成する方法は、バッチ処理であってもよく、連続処理であってもよいが、後者が好ましい。生産性に優れているからである。後者の具体例としては、表面が針状に加工されたロールを用いる処理等が挙げられる。特に、本発明においては、熱針ロールにより貫通孔を形成することが好ましい。生産性に優れているからである。
【００６６】
図３は、本発明における貫通孔形成工程の一例を示す工程図である。図３においては、巻出ロール２１から前駆シート１５を巻出し、加熱した熱針ロール２２およびゴムロール（受けロール）２３の間を通過させ、農業用シート１を巻取ロール２４に巻取る。前駆シート１５が熱針ロール２２およびゴムロール２３の間を通過する際に、幅方向に均一に貫通孔が形成される。また、熱針ロール２２で貫通孔を形成する際に、ガスが生じる場合があるため、排ガス処理装置２５を設けてもよい。
【００６７】
３．農業用シート
本発明により得られる農業用シートについては、上記「Ａ．農業用シート」に記載した内容と同様であるので、ここでの記載は省略する。
【００６８】
なお、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【００６９】
以下、実施例を用いて、本発明をさらに具体的に説明する。
【００７０】
［実施例１］
（基材シートの製造）
基材シートの内層を構成する樹脂組成物として、プロピレン単独重合体（日本ポリケム（株）製、商品名「ノバテックＰＰ：ＭＡ−８」、融点１６４℃）を６５．５質量％、高密度ポリエチレン（日本ポリケム（株）製、商品名「ノバテックＨＤ：ＨＪ５８０」、融点１３４℃、密度０．９６０ｇ／ｃｍ３）を６．５質量％、および、平均粒子径が１．５μｍの炭酸カルシウム粉末を２８質量％よりなる樹脂組成物を、押出機を用いて無延伸シートを得た。次いで、この無延伸シートを縦方向に４倍延伸して、一軸延伸シートを得た。
【００７１】
一方、基材シートの外層を構成する樹脂組成物として、上記と同様の材料にて、プロピレン単独重合体を５１．５質量％、高密度ポリエチレンを３．５質量％、平均粒子径が１．５μｍの炭酸カルシウム粉末を４２質量％、平均粒子径が０．８μｍの酸化チタン粉末を３質量％よりなる樹脂組成物を、別の押出機を用いて溶融混練し、上記の一軸延伸シートの表面の両側にダイより押し出し、外層、内層、外層の層構成を有する積層シートを得た。
【００７２】
次いで、この積層シートを横方向に７倍延伸し耳部をスリットすることにより、厚みが７０μｍであり、外層（１５μｍ）、内層（４０μ）、外層（１５μｍ）の層構成を有し、微細な空隙を含有する基材シート（多孔質基材シート）を得た。得られた基材シートの空隙率は５５％であり、不透明度は９３％であり、透湿度は８００ｇ／ｍ２・ｄａｙであった。
【００７３】
（農業用シートの作製）
得られた基材シートに、アンカーコート材（変成エチレン−酢酸ビニル共重合体）を塗布した状態で、酢酸ビニル含有率１８質量％のエチレン−酢酸ビニル共重合体を厚み１５μｍで押出しコーティングした。これにより、基材シート上に熱接着性樹脂層を形成した。同時に、第２給紙から補強シートとしてポリエチレン繊維直交積層不織布（ワリフ（登録商標  ＳＳ(Ｔ)  ＪＸ日鉱日石エネルギー社製）をエチレン−酢酸ビニル共重合体で圧着して貼り合わせた。エチレン−酢酸ビニル共重合体の溶融樹脂温度は２５０℃であった。このようにして積層体（前駆シート）を得た。
【００７４】
得られた前駆シートを、加熱温度１７５℃の熱針ロールを用いて貫通孔を形成した。針の侵入深さは１．５ｍｍであった。また、使用した針の径は５０μｍであり、針の数は２５万個／ｍ２であった。このようにして、農業用シートを得た。得られた農業用シートの開孔率は４．９％であった。得られた農業用シートを土壌に敷き、農業用シート上に水を１００ｍｌ滴下したところ、水が滞留することなく、５分で土壌中に通水した。
【符号の説明】
【００７５】
１…農業用シート
１１…基材シート
１２…熱接着性樹脂層
１３…補強シート
１４…貫通孔
１５…前駆シート
１６…針状部材
【要約】
【課題】本発明は、良好な通水性を有する農業用シートを提供することを課題とする。
【解決手段】本発明は、熱可塑性樹脂を含有し、反射性を有する基材シートを有する農業用シートであって、上記農業用シートの一方の表面から他方の表面を貫通する貫通孔を複数有することを特徴とする農業用シートを提供することにより、上記課題を解決する。
【選択図】図１【図３】
0005907295.tif 000002
【図１】
0005907295.tif 000003
【図２】
0005907295.tif 000004